(57)【要約】      （修正有）【課題】簡単な構造にも関わらず通風量の調整ができるスノコ構造を提供する。【解決手段】スノコ構造２１を、相対位置を変更可能した上で重ね合わせ可能な第１板部３１と第２板部６１とにより構成する。両板部の相対位置の変更により、第１板部３１を貫通する第１貫通孔群４１及び打い２板部６１を貫通する第２貫通孔群６１を通過する通風量を調整可能に構成する。第１板部３１及び第２板部６１だけの簡単な構造により、通風量の調整を行うことができる。【選択図】      図２
2004329128.tif 000002
【特許請求の範囲】
【請求項１】
厚み方向に貫通する第１貫通孔群を有する第１板部と、厚み方向に貫通する第２貫通孔群を有する第２板部と、を含み、
当該第１板部と第２板部とは、少なくとも第１位置と第２位置との間で相対位置を変更した上で重ね合わせ可能に構成してあり、
当該相対位置の変更により、当該第１貫通孔群及び当該第２貫通孔群を通過する通風量を調整可能に構成してあるスノコ構造。
【請求項２】
厚み方向に貫通する第１貫通孔群を有する第１板部と、厚み方向に貫通する第２貫通孔群を有する第２板部と、を含み、
当該第１板部と第２板部とは、少なくとも第１位置と第２位置との間で相対位置を変更した上で重ね合わせ可能に構成してあり、
当該第１位置において当該第１板部と当該第２板部とを重ね合わせたときに、当該第１貫通孔群と当該第２貫通孔群とが、少なくとも一部において連通可能、かつ、
当該第２位置において当該第１板部と当該第２板部とを重ね合わせたときに、当該第１貫通孔群が当該第２板部によって閉鎖可能又は連通幅可変、に構成してある
ことを特徴とするスノコ構造。
【請求項３】
前記第１位置又は前記第２位置にある前記第１板部と前記第２板部の何れか一方を他方に対して、水平方向に直線変位又は水平方向に回転変位させることにより当該第２位置又は当該第１位置へ相互変更可能に構成してある
ことを特徴とする請求項１又は２記載のスノコ構造。
【請求項４】
前記第２板部が、平面視したときに略矩形に形成してあり、
当該第１板部の周縁には、当該第１板部に重ね合わせたときの当該第２板部周囲を僅かな隙間を挟んで包囲可能な起立部を設けてあり、
重ね合わせ解除状態の当該第２板部を、当該第１板部に対して水平方向に１８０度回転変位させた後に重ね合わせることにより、前記第１位置と前記第２位置との間の相互変更を可能に構成してある
ことを特徴とする請求項１乃至３何れか記載のスノコ構造。
【請求項５】
前記第２板部が、平面視したときに略矩形に形成してあり、
当該第１板部の周縁には、当該第１板部に重ね合わせた時の当該第２板部３辺を僅かな隙間を挟んで、かつ、残る１辺を所定幅の隙間を挟んで包囲可能な起立部を設けてあり、
重ね合わせ解除状態の当該第２板部を、当該第１板部に対して当該残る１辺方向に変位させた後に重ね合わせることにより、前記第１位置と前記第２位置との間の相互変更を可能に構成してあり、
当該第２板部と当該起立部との間に形成した凹凸位置決め構造により、当該第１位置及び当該第２位置における当該第２板部の当該第１板部に対する位置決めを可能に構成してある
ことを特徴とする請求項１乃至３何れか記載のスノコ構造。
【請求項６】
前記第１板部の前記起立部近傍には、排水孔を貫通形成してあり、
前記第１板部の起立部と重ね合わせた際の前記第２板部との間の隙間に流れ込んだ水を当該排水孔から排水可能に構成してある
ことを特徴とする請求項４又は５記載のスノコ構造。
【請求項７】
前記起立部上面が、当該起立部と当該第２板部との間の隙間に向って下り傾斜している
ことを特徴とする請求項６記載のスノコ構造。
【請求項８】
前記第２板部上面の少なくとも周縁部が、当該第２板部と前記起立部との間の隙間に向って下り傾斜している
ことを特徴とする請求項６又は７記載のスノコ構造。
【請求項９】
前記第２板部上面の前記周縁部に囲まれた部分が、当該周縁部に向って下り傾斜している
ことを特徴とする請求項８記載のスノコ構造。
【請求項１０】
前記第２板部には、前記第２貫通孔群の各々の孔周縁から前記第１板部方向に突き出す環状リブ群を設けてあり、
前記第１板部には、当該第２板部が前記第２位置にあるときに当該環状リブ群の各々と嵌合して当該第２貫通孔群を閉鎖可能、かつ、当該第２板部が前記第１位置にあるときに当該環状リブ群の各々と嵌合不能な突起群を設けてある
ことを特徴とする請求項１乃至９何れか記載のスノコ構造。
【請求項１１】
前記突起群の各々の頂部が、前記リブ群の各々と嵌合した際に、前記第２板部上面と略同一面を形成可能な形状に形成してある
ことを特徴とする請求項１０記載のスノコ構造。
【請求項１２】
底部を有するペット小屋であって、
当該底部が、請求項１乃至１１何れか記載のスノコ構造を有する
ことを特徴とするペット小屋。
【発明の詳細な説明】
【０００１】
【発明の属する技術分野】
本発明は、スノコ構造及びそのようなスノコ構造を備えるペット小屋に関するものである。
【０００２】
【従来の技術】
これまで知られているスノコ構造として、特許文献１に開示されたものがある。このスノコ構造は、畜舎から出る汚物等を流すための汚物溝の上に設けることを主目的としたものであって、１対の桁間に掛け渡した複数のスノコ用桟を、連結具により連結するように構成してある。連結具は、多数の横長金属板を互いに重なりを持たせながら一連に連結したものであって、その重なる部分の一方の横長金属板に長孔を他方の横長金属板にその長孔を貫通する突出ピンを形成してあり、長孔と突出ピンとの働きにより横長金属板同士の相対移動を可能に構成してある。この相対移動がスノコ用桟同士を近接離反可能にし、これにより、スノコ用桟間の隙間が調整可能になっている。隙間を調整可能としたのは、通風量及び汚物の排泄量に応じた間隔を設定するためである。
【０００３】
【特許文献１】特公昭５７−４２０９号公報（第１頁、第３図）
【０００４】
【発明が解決しようとする課題】
しかしながら、上述した従来のスノコ構造は、複数のスノコ用桟同士を近接離反させるために多数の横長金属板等を必要とするため、その構造が極めて複雑であり部品点数も多い。このスノコ構造は、その目的からして汚物等により汚れるものであるため所定期間毎の清掃が必要であるが、そのような複雑な構造を持っていては細かい箇所に入り込んだ汚れを充分に清掃することができない。衛生上の観点からも、複雑な構造は避けるべきである。本発明が解決しようとする第１の課題は、簡単な構造にも関わらず通風量の調整ができるスノコ構造を提供することにある。また、同じく第２の課題は、そのようなスノコ構造を持ったペット小屋を提供することにある。
【０００５】
【課題を解決するために手段】
上述した２つの課題を解決するために発明者は、独立した複数のスノコ用桟を連結具により連結するのではなく、重ね合わせ可能な１対の板部の各々に貫通孔を形成しておき、その重ね合わせの位置を変更することにより両貫通孔が閉鎖又は連通したり、連通幅や通風量を調整したり等できるように構成した。そして、そのようなスノコ構造をペット小屋の底部に設けた。その詳しい構成については、項を改めて説明する。なお、何れかの請求項に係る発明の説明をするに当たって行う用語の定義等は、その性質上可能な範囲において他の請求項に係る発明にも適用できるものとする。さらに、本明細書において部材名の前に「第１」「第２」と付する場合があるが、これは、あくまでも一方に対する他方を区別するという説明の便宜のためだけに付するものであって当該部材の何れか一方を特定するものではない。
【０００６】
（請求項１記載の発明の特徴）
請求項１記載の発明に係るスノコ構造は、厚み方向に貫通する第１貫通孔群を有する第１板部と、厚み方向に貫通する第２貫通孔群を有する第２板部と、を含み、当該第１板部と第２板部とは、少なくとも第１位置と第２位置との間で相対位置を変更した上で重ね合わせ可能に構成してある。そして、当該相対位置の変更により、当該第１貫通孔群及び当該第２貫通孔群を通過する通風量を調整可能に構成してある。「第１板部」及び「第２板部」は、何れも平坦な板状である必要は必ずしもなく、部分的に凹凸があったり、傾斜面があったりしても構わない。同じく、平面視したときの形状は略矩形が一般的であるが、他の形状であることを妨げない。さらに、「第１板部」及び「第２板部」は、各々が分離又は連結した複数の部材により構成することもできる。これらの板部は、合成樹脂を射出成形等することにより製造するのが一般的であるが、木材や金属材等を単独で、又は、合成樹脂材を含めたこれらを適宜組み合わせて用いることも可能である。「第１貫通孔群」を構成する各貫通孔は、当該スノコ構造を、たとえば、ペット小屋に使用するのであれば、そのペットの足が入り込まない程度のものであれば、その大きさ及び形状に何ら制限はない。各貫通孔同士の形状が互いに異なっていてもよい。同じことが、「第２貫通孔群」についても言える。
【０００７】
請求項１のスノコ構造は、重ね合わせた第１板部と第２板部とにより構成してあり、極めて簡単な構造を有している。第１板部と第２板部の重ね合わせは、少なくとも第１位置及び第２位置において可能になっており、両板部の相対位置の変更による何れかの位置にあるときに他の位置にあるときに比べて第１貫通孔群と第２貫通孔群とを通過する通風量が制限又は促進されるようになっている。通風量の制限は、通風は許容するが通風量自体を制限する場合、通風自体を遮断する場合、及び制限と遮断が組み合わさった場合等を意味する。このように、請求項１のスノコ構造によれば、第１板部と第２板部という２つの部品だけという簡単な構造で通風量調整を行うことができる。簡単な構造であるため、その清掃も楽である。さらに、その通風量調整も、第１板部と第２板部の相対位置を変更するだけで足りるので、特別な道具を用いる必要もなく非常に実用的である。
【０００８】
（請求項２記載の発明の特徴）
請求項２記載の発明に係るスノコ構造は、厚み方向に貫通する第１貫通孔群を有する第１板部と、厚み方向に貫通する第２貫通孔群を有する第２板部と、を含み、当該第１板部と第２板部とは、少なくとも第１位置と第２位置との間で相対位置を変更した上で重ね合わせ可能に構成してある。そして、当該第１位置において当該第１板部と当該第２板部とを重ね合わせたときに、当該第１貫通孔群と当該第２貫通孔群とが、少なくとも一部において連通可能、かつ、当該第２位置において当該第１板部と当該第２板部とを重ね合わせたときに、当該第１貫通孔群が当該第２板部によって閉鎖可能又は連通幅可変、に構成してある。「少なくとも一部において連通可能」というところの「一部」とは、第１貫通孔群及び第２貫通孔群を構成する各貫通孔の中に連通するものと連通しないものとが混在するという意味の一部と、連通はしたが一部のみであって完全に連通したわけではないという意味の一部と、の双方を指す。
【０００９】
請求項２のスノコ構造は、請求項１のスノコ構造と同じく、重ね合わせた第１板部と第２板部とにより構成してあり、極めて簡単な構造を有している。第１板部と第２板部の重ね合わせは、少なくとも第１位置及び第２位置において可能になっており、何れかの位置のときに他の位置のときに比べて第１貫通孔群と第２貫通孔群とを通過する通風量が制限又は促進されるようになっている。通風量の制限は、通風は許容するが通風量自体を制限する場合、通風自体を遮断する場合、及び制限と遮断が組み合わさった場合等を意味する。このように、請求項２のスノコ構造によれば、第１板部と第２板部という２つの部品だけという簡単な構造で通風量調整を行うことができる。簡単な構造であるため、その清掃も楽である。さらに、その通風量調整も、第１板部と第２板部の相対位置を変更するだけで足りるので、特別な道具を用いる必要もなく非常に実用的である。
【００１０】
（請求項３記載の発明の特徴）
請求項３記載の発明に係るスノコ構造は、請求項１又は２のスノコ構造であって、前記第１位置又は前記第２位置にある前記第１板部と前記第２板部の何れか一方を他方に対して、水平方向に直線変位又は水平方向に回転変位させることにより当該第２位置又は当該第１位置へ相互変更可能に構成してある。
【００１１】
請求項３のスノコ構造によれば、請求項１又は２のスノコ構造の作用効果に加え、水平方向に直線変位又は回転変位させることにより第１位置と第２位置との間で相互変更することができる。第１位置と第２位置以外の、たとえば、第３位置や第４位置がある場合は、それらの位置との間における相互変更も可能である。
【００１２】
（請求項４記載の発明の特徴）
請求項４記載の発明に係るスノコ構造は、請求項１乃至３何れかのスノコ構造であって、前記第２板部が、平面視したときに略矩形に形成してあり、当該第１板部の周縁には、当該第１板部に重ね合わせたときの当該第２板部周囲を僅かな隙間を挟んで包囲可能な起立部を設けてある。そして、重ね合わせ解除状態の当該第２板部を、当該第１板部に対して水平方向に１８０度回転変位させた後に重ね合わせることにより、前記第１位置と前記第２位置との間の相互変更可能に構成してある。
【００１３】
請求項４のスノコ構造によれば、請求項１乃至３何れかのスノコ構造の作用効果が、第２板部と第１板部の起立部との間で具体的に生じる。すなわち、略矩形の第２板部の外形は、重ね合わせ解除状態において、水平方向に１８０度回転変位させても回転変位させる前の外形と同じになる。重ね合わせ解除状態で再び回転変位させると、また、元の形状に戻る。このように回転変位の前後において外形が同じとなる第２板部であるから、回転変位の前後を問わず起立部に囲まれた略矩形の凹部に収納させることができる。すなわち、回転変位前の位置を第１位置、回転変位後の位置を第２位置とすると、両位置間における第２板部の相互変更を可能にする。
【００１４】
（請求項５記載の発明の特徴）
請求項５記載の発明に係るスノコ構造は、請求項１乃至３何れかのスノコ構造であって、前記第２板部が、平面視したときに略矩形に形成してあり、当該第１板部の周縁には、当該第１板部に重ね合わせた時の当該第２板部３辺を僅かな隙間を挟んで、かつ、残る１辺を所定幅の隙間を挟んで包囲可能な起立部を設けてある。そして、重ね合わせ解除状態の当該第２板部を、当該第１板部に対して当該残る１辺方向に変位させた後に重ね合わせることにより、前記第１位置と前記第２位置との間の相互変更可能に構成してあり、当該第２板部と当該起立部との間に形成した凹凸位置決め構造により、当該第１位置及び当該第２位置における当該第２板部の当該第１板部に対する位置決めを可能に構成してある。凹凸位置決め構造は、第２板部と起立部との間で、何れか一方が凹部を有する場合に他方が凸部を有し、凹部と凸部との係合により位置決めを可能とする構造のことをいう。たとえば、第２板部が凹部を有するのであれば、起立部が凸部を有することになり、逆に、第２板部が凸部を有するのであれば起立部が凹部を有することになる。第２板部が凹部と凸部の両者を有している場合に、起立部が前者に対応する凸部と後者に対応する凹部の両者を有している場合も含む。
【００１５】
請求項５のスノコ構造によれば、請求項１乃至３何れかのスノコ構造の作用効果が、第２板部と第１板部の起立部との間で具体的に生じる。すなわち、第２板部３辺と起立部との間には僅かな隙間しか開いてないので、第２板部が当該３辺の方向に変位することはできない。他方、残り１辺の方向には所定幅の隙間が起立部との間に設けてあるので、この隙間分だけ第２板部を起立部の中で変位させることができる。こうして変位させると、当該残り１辺と起立部との間の隙間は僅かなものになり、今度はこの残り１辺と対向位置にある他の１辺と起立部との間に所定幅の隙間ができる。変位前の位置を第１位置、変位後の位置を第２位置としたときに、このような関係が、第２板部を第１位置と第２位置との間で相互変更可能にする。なお、第１位置又は第２位置にある第２板部と起立部との相対位置は、凹凸位置決め構造の係合作用により決定される。
【００１６】
（請求項６記載の発明の特徴）
請求項６記載の発明に係るスノコ構造は、請求項４又は５のスノコ構造であって、前記第１板部の前記起立部近傍には、排水孔を貫通形成してあり、前記第１板部の起立部と重ね合わせた際の前記第２板部との間の隙間に流れ込んだ水を当該排水孔から排水可能に構成してある。
【００１７】
請求項６のスノコ構造によれば、請求項４又は５のスノコ構造の作用効果に加え、第２板部と起立部との間に入った水を、排水孔の働きにより効率よく排することができる。この結果、当該隙間に水が溜まる等の不都合がなくなり、水溜りによる不衛生な状態を防ぐことができる。
【００１８】
（請求項７記載の発明の特徴）
請求項７記載の発明に係るスノコ構造は、請求項６のスノコ構造であって、前記起立部上面が、当該起立部と当該第２板部との間の隙間に向って下り傾斜している。起立部上面の傾斜角度は、その上にある水等が流れるために充分であり、かつ、スノコとして使用するのに不便のない程度の角度であることが必要である。
【００１９】
請求項７のスノコ構造によれば、請求項６のスノコ構造の作用効果に加え、起立部上面の上にある水等が、その傾斜により起立部と第２板部との間の隙間に誘導され起立部上面上から排除される。これにより、第１板部に設けた排水孔の働きと相俟って起立部上面を清潔に保つことができる。
【００２０】
（請求項８記載の発明の特徴）
請求項８記載の発明に係るスノコ構造は、請求項６又は７のスノコ構造であって、前記第２板部上面の少なくとも周縁部が、当該第２板部と前記起立部との間の隙間に向って下り傾斜している。周縁部上面の傾斜角度は、その上にある水等が流れるために充分であり、かつ、スノコとして使用するのに不便のない程度の角度であることが必要である。
【００２１】
請求項８のスノコ構造によれば、請求項６又は７のスノコ構造の作用効果に加え、周縁部上面の上にある水等が、その傾斜により起立部と第２板部との間の隙間に誘導され周縁部上面上から排除される。これにより、第１板部に設けた排水孔の働きと相俟って周縁部上面を清潔に保つことができる。
【００２２】
（請求項９記載の発明の特徴）
請求項９記載の発明に係るスノコ構造は、請求項８のスノコ構造であって、前記第２板部上面の前記周縁部に囲まれた部分が、当該周縁部向って下り傾斜している。周縁部に囲まれた部分の傾斜角度は、その上にある水等が流れるために充分であり、かつ、スノコとして使用するのに不便のない程度の角度であることが必要である。必ずしも平坦に形成する必要はなく、緩やかな球面状に形成してよい。
【００２３】
請求項９のスノコ構造によれば、請求項８のスノコ構造の作用効果に加え、周縁部に囲まれた部分の上面上にある水等が、その傾斜により周縁部に誘導され、その周縁部を介して排除される。これにより、当該周縁部の傾斜と第１板部に設けた排水孔の働きにより、第２板部上面上を清潔に保つことができる。
【００２４】
（請求項１０記載の発明の特徴）
請求項１０記載の発明に係るスノコ構造は、請求項１乃至９何れか記載のスノコ構造であって、前記第２板部には、前記第２貫通孔群の各々の孔周縁から前記第１板部方向に突き出す環状リブ群を設けてあり、前記第１板部には、当該第２板部が前記第２位置にあるときに当該環状リブ群の各々と嵌合して当該第２貫通孔群を閉鎖可能、かつ、当該第２板部が前記第１位置にあるときに当該環状リブ群の各々と嵌合不能な突起群を設けてある。
【００２５】
請求項１０のスノコ構造によれば、請求項１乃至９何れかのスノコ構造であって、環状リブ群と突起群との嵌合により第２貫通孔群を閉鎖し、嵌合解除により連通させる。後者の場合の第２板部が第１位置にあり、前者の場合の第２板部が第２位置にあるとすれば、第１位置と第２位置との間で第２板部を相互変更し、これにより、第２貫通孔群を閉鎖したり第２貫通孔群と連通させたりすることができる。
【００２６】
（請求項１１記載の発明の特徴）
請求項１１記載の発明に係るスノコ構造は、請求項１０のスノコ構造であって、前記突起群の各々の頂部が、前記環状リブ群の各々と嵌合した際に、前記第２板部上面と略同一面を形成可能な形状に形成してある。
【００２７】
請求項１１のスノコ構造によれば、環状リブ群の各々と嵌合したときの突起群の各々の嵌合部上面が第２板部上面と略同一面を形成する、すなわち、第２貫通孔群による凹みを第２板部上面からなくすので、略同一面を形成しなければできたであろう凹みに水等が溜まるのを有効に防止する。水が溜まれば不衛生になりかねないが、溜まらないため第２板部上面を衛生に保つことができる。
【００２８】
（請求項１２記載の発明の特徴）
請求項１２記載の発明に係るペット小屋は、底部を有するペット小屋であって、
当該底部が、請求項１乃至１１何れか記載のスノコ構造を有するものである。ペット、いわゆる小動物には、たとえば、犬、猫、リス、爬虫類等があり、その種類に制限はない。屋内屋外何れに設置するものであってもよい。スノコ構造は、これをペット小屋本体に対して着脱自在に構成しておくのが、スノコ構造の清掃等のために便利であるが、ネジ等により半固定できるように構成してもよい。また、第１板部をペット小屋本体と一体に形成し、この第１板部に対して第２板部を相対移動可能に構成してもよい。
【００２９】
請求項１２記載の発明に係るペット小屋によれば、請求項１乃至１１のスノコ構造の作用効果を、そのままペット小屋においても生じさせることができる。そのようなスノコ構造を持ったペット小屋であれば、小屋内への通風量の調整を円滑に行うことができるので、内部で飼うペットの習性、好み、また、天候や室温等に合わせた快適な環境を整えてあげることが可能になる。さらに、底部を構成するスノコ構造が簡単な構造であるため、その清掃も簡単に行うことができる。したがって、それほど苦労せずにペット小屋内を清潔に保つことができる。
【００３０】
【発明の実施の形態】
ここで、各図に基づいて、本発明の実施の形態（以下、適宜「本実施形態」という）について説明する。図１は、スノコ構造を底部とするペット小屋の斜視図である。図２は、屋根部を取り付ける前のペット小屋の背面斜視図である。図３は、屋根部を取り付ける様子を示すペット小屋の斜視図である。図４は、連通状態のスノコ構造を示す平面図である。図５は、図４に示すスノコ構造のＡ−Ａ断面図である。図６は、閉鎖状態のスノコ構造を示す平面図である。図７は、図６に示すスノコ構造のＢ−Ｂ断面図である。図８は、図２に示すスノコ構造のＣ−Ｃ断面図である。図９及び１０は、本実施形態の変形例に係るスノコ構造の平面図である。
【００３１】
（ペット小屋の概略構造）
図１乃至３に基づいて説明する。ペット小屋１は、主として犬を屋内外で飼育するための小屋であって、出入口５が開口する前面パネル３と、この全面パネル３の両脇に位置する両側面パネル７，７と、前面パネル３と対向する背面パネル１１と、これらの上に据え付ける屋根部１３と、底部を形成するスノコ部（スノコ構造）２１と、から概ね構成してある。スノコ部２１を除く各部材は、ネジ等の固定部材により互いに連結可能に構成してある。各部材は、比較的軽量であり加工もしやすく安価であることから、そのほとんどを合成樹脂材により構成してあるが、各部材の一部又は全部を木材や金属材等により構成してもよい。スノコ部２１は、前面パネル３、両側面パネル７，７及び背面パネル１１の内面に設けた支持レール９（図２参照）により支持されるように構成してある。スノコ部２１を頻繁に外すことを望む場合は、スノコ部２１を単に載せるだけで支持可能な支持部材（図示を省略）を支持レール９の代わりに採用するとよい。そのような支持部材を採用すれば、スノコ部２１を清掃や点検等のために簡単に着脱できるので、たいへん便利である。
【００３２】
（スノコ部の概略構造）
図２乃至８に基づいて説明する。スノコ部２１は、第１板部３１と第２板部６１とにより構成してある。何れの板部も合成樹脂製であり、射出成形により製造してある。射出成形以外の成形方法により製造したり、木材や金属材等を単独で又は適当に組み合わせることにより製造したりすることもできる。また、本実施形態では一体化した方が楽に製造を行えるとの考えからそのように構成してあるが、何らかの理由により必要と考えた場合は、第１板部３１や第２板部６１を、それぞれ複数の部材により構成しても構わない。後述するように、第１板部３１と第２板部６１とは、連通位置（第１位置）及び閉鎖位置（第２位置）という少なくとも２つの位置で重ね合わせ可能に構成してある。
【００３３】
（第１板部の構造）
第１板部３１は、平面視したときに、角部に丸みをつけた略矩形に形成してある。第１板部３１の周縁には、底板部３９に対して起立する起立部３３を形成してある。起立部３３を形成したことにより、それに囲まれた領域、すなわち底板部３９の上方領域には、第２板部６１を収納可能な収納凹部３７が形成される。起立部３３の高さ寸法、すなわち、収納凹部３７の深さ寸法は、第２板部６１の厚み寸法と略同じに設定してある。さらに、収納した第２板部６１と起立部３３との間の環状隙間２３は、第２板部６１の出し入れを妨げないで、かつ、過度のがたつきを生じさせない程度の僅かな隙間に設定してある。環状隙間２３の幅が広すぎると、そこにペットの爪が引っ掛かったり、大きなゴミが入り込んだりする不都合を避けるためである。第１板部３１に対する第２板部６１の位置決めを確実に行う目的もある。収納した第２板部６１と対向する起立部３３の部位には、略半円形の人差し指が入り得る大きさの指入れ凹部３５を形成してある。指入れ凹部３５は、そこから入れた指の腹を第２板部６１外周から突出させた指掛片６５に引っ掛けて第２板部６１を持ち上げられるようにするための凹みである。起立部３３の上面、すなわち、第１板部３１の周縁を囲む起立部上面３４は、環状隙間２３に向かって緩やかに下るすり鉢状の下り傾斜にしてある。起立部上面３４上にある水やペットの尿等（以下、「水等」という）を環状隙間２３内に導くことにより、起立部上面３４上を清潔に保つためである。
【００３４】
第１板部３１の底板部３９には、所定幅を介して整列する複数の第１貫通孔４１（第１貫通孔群４１）を貫通形成してある。第１貫通孔４１は、長円形の孔であって、その幅は、飼育するペットの手足やこぼした餌などが落ち込まないような寸法に設定してある。各第１貫通孔４１は、互いに同じ形状に形成してあるが、互いに異なる形状に形成することを妨げない。長円形に限る必要はなく、円形や楕円形等の形状をも選択可能である。
【００３５】
起立部３３近傍の底板部３９には、複数の排水孔４３を貫通形成してある。各排水孔４３は、起立部３３と重ね合わせた際の第２板部６１との間の環状隙間２３に流れ込んだ水を排水するための孔である。この排水作用により、環状隙間２３及び底板部３９上に水が溜まる等の不都合がなくなるので、水溜りによる不衛生な状態を防ぐことができる。
【００３６】
図５及び７に示すように、底板部３９上面には、各第１貫通孔４１と隣接する複数の突起部４５を形成してある。突起部４５の各々は、台形形状の台座部４７と、この台座部４７の頂部に肩部４９を介して設けた細身の嵌合部５１と、から構成してあり、後述する環状リブ６９に嵌合可能な形状及び寸法に形成してある。嵌合部５１の各々は、嵌合部上面５３を有する。
【００３７】
（第２板部）
第２板部６１は、平面視したときに略矩形に形成してあり、前述した第１板部３１の収納凹部３７内に収納可能に構成してある。収納した第２板部６１と起立部３３との間には、僅かな隙間である環状隙間２３を形成させてあることは前述の通りである。第１板部３１の各突起部４５に対応する第２貫通孔６７（第２貫通孔群６７）を、第２板部６１に貫通形成してある。第２貫通孔群６７の各々の孔周縁から第１板部３１方向（すなわち、図５、７の下方向）に突き出す環状リブ６９を設けてある。環状リブ６９は、閉鎖位置において第１板部３１と第２板部６１とを重ね合わせたときに、第１板部３１から突き出る嵌合部５１と嵌合して、第２貫通孔６７を閉鎖する役割を担っている。
【００３８】
他方、重ね合わせ解除状態、すなわち、第２板部６１を上に持ち上げて嵌合解除状態にしたときの第２板部６１を、第１板部３１に対して水平方向に１８０度回転変位させた後に重ね合わせる（収納凹部３７に収納させる）ことにより開放位置に変更することができる。また、その逆手順で、第２板部６１を１８０度回転変位させて元の閉鎖位置に戻すこともできる。つまり、回転変位の前後において外形が同じとなる第２板部６１であるから、回転変位の前後を問わず略矩形の収納凹部３７に収納させることができる。すなわち、回転変位前の位置を第１位置（開放位置）、回転変位後の位置を第２位置（閉鎖位置）とすると、両位置間において、第２板部６１を第１板部３１に対して相互変更可能にしてある。なお、環状隙間２３が僅かな隙間でしかないため、上記何れの位置にあっても、起立部３３に対する第２板部６１の位置決めが簡単になされ、かつ、両者間にがたつきが生じない。
【００３９】
第２板部６１の周縁部６３の上面は、環状隙間２３に向かって緩やかに下り傾斜させてある。また、この周縁部６３に囲まれた第２板部６１の上面は、緩やかなドーム状に形成してあって、同じく環状隙間２３に向かって緩やかに下り傾斜している。両者の下り傾斜は、何れも、第２板部６１上面にある水やペットの尿等を環状隙間２３内に流れ込ませることにより、第２板部６１上面から排除するためである。
【００４０】
図５及び７を参照しながら、突起部４５と環状リブ６９との間の相互作用について詳述する。突起部４５が有する嵌合部５１の外径は、環状リブ６９の内径より極僅か小さく形成してあり、これにより、前者を後者に嵌合すること及び前者を後者との嵌合から解除することが簡単に行えるようになっている。また、第２板部６１が開放位置にあるときは第２貫通孔６７と第１貫通孔４１との連通が、閉鎖位置の変位によって嵌合させたときは、嵌合部５１が第２貫通孔６７を気密又は水密に閉鎖可能に構成してある。この構成によって、第２貫通孔６７と第１貫通孔４１とを連通させたときは、両者を介して通風可能に、嵌合させたときは、第２貫通孔６７を介して水やペットの尿等が第１板部３１の上に落下不能にしてある。他方、開放位置にある嵌合部５１と環状リブ６９との関係は、図５に示すように、各嵌合部上面５３が第２板部６１の下面（第１板部３１側の面）に当接してこれを下支えして第２板部６１に加わる荷重を分担可能になっており、これが、上にペットが乗ったときの弾性変形による凹みやがたつきを防止する。また、同じく閉鎖位置にあるときの関係は、図７に示すように、環状リブ６９の下端が突起部４５の肩部４９に当接して第２板部６１全体を下支えするとともに加わる荷重を分担可能になっている。さらに、嵌合した嵌合部上面５３と第２板部６１の上面６２が略同一面を形成し、この上面６２に第２貫通孔６７による凹みが生じさせないようにしてある。凹みが生じると、その部分に水や尿等が溜まって不衛生になりかねないので、上記した第２板部上面６２と周縁部上面６４の下り傾斜とが相俟って、そのような事態を防止するためである。
【００４１】
（本実施形態の変形例）
図９及び１０に基づいて説明する。本実施形態の変形例（以下、「本変形例」という）に係るスノコ部（スノコ構造）８１が、前述したスノコ部２１と異なるのは、後者は水平方向に回転変位可能であるのに対し、前者は水平方向に直線変位可能である点であって、他の構成については両者共通する。したがって、以下においては、重複を避けるために両者異なる点についてだけ説明し、共通する部分については、本実施形態で使用した部材番号を図９及び１０に付するだけにして説明を省略する。
【００４２】
すなわち、スノコ部８１は第１板部８３と、これと開放位置（第１位置）と閉鎖位置（第２位置）において少なくとも重ね合わせ可能な第２板部９１と、により構成してある。第１板部８３は、その周縁に成形した起立部８５と、この起立部８５が包囲する収納凹部８６を備えている。起立部８５の長手方向一端には、対向する各々一対の位置決め凹部８９，９０を形成してある。収納凹部８６は、前記した収納凹部３７よりも長手方向に長く形成してあり、これにより、第１板部８３に重ね合わせたときの（収納凹部８６に収納されたときの）第２板部９１の３辺が僅かな幅狭隙間８７を挟んで、かつ、残る１辺を所定幅の幅広隙間８８を挟んで、それぞれ起立部８５により包囲されている。また、第２板部９１の長手方向一端には、対向する一対の位置決め凸部９３を形成してある。
【００４３】
上記の構成により、重ね合わせ解除状態、すなわち、持ち上げて収納凹部８６の外に出した状態の第２板部９１を、第１板部８３に対して当該残る１辺方向に変位させた後に重ね合わせることにより、開放位置（第１位置）と閉鎖位置（第２位置）との間の相互変更を可能に構成してある。すなわち、第２板部９１の３辺と起立部８５との間には幅狭隙間８７しか設けてないので、第２板部９１を当該３辺の方向（たとえば、図９の左方向）に変位させることはできないが、他方、残り１辺の方向（たとえば、同図の右方向）には幅広隙間８８を起立部８５との間に設けてあるので、この隙間分だけ第２板部９１を収納凹部８６内で変位させることができるようになっている。したがって、図９に示す幅広隙間８８（幅狭隙間８７）と図１０に示す幅広隙間８８（幅狭隙間８７）とは、相互変更に伴いその位置が両図の左右方向に移動することになる。
【００４４】
第１板部８３に対する第２板部９１の位置決めは、両者間の凹凸位置決め構造、すなわち、前者が有する位置決め凹部８９，９０の何れかに後者が有する位置決め凸部９３が嵌合（係合）することにより行われるようにしてある。図９に示す開放位置にあるときの位置決め凸部９３は位置決め凹部９０に嵌合（係合）し、図１０に示す閉鎖位置にあるときの位置決め凸部９３は位置決め凹部８９に嵌合（係合）するように構成してある。なお、上記の凹凸関係を逆にして、起立部８５に凸部を形成し第２板部に凹部を形成してもよい。
【００４５】
上記した構成以外にも種々の変形が可能であって、たとえば、第１貫通孔と第２貫通孔とは、第２板部の開放位置と閉鎖位置間の相対変位により、完全に連通されるのではなく、連通幅を調整することにより両者を通過する風量を調整可能に構成することもできる。また、上記したスノコ部又はスノコ構造は、それ単独で、たとえば、排水溝の上に架け渡したり、家庭の押入等において使用することや、ペット小屋以外のもの、たとえば、畜舎等にも用いることができる。
【００４６】
【発明の効果】
本発明によれば、簡単な構造にも関わらず通風量の調整ができるスノコ構造を提供することができる。また、そのようなスノコ構造を持ったペット小屋を提供することができる。
【図面の簡単な説明】
【図１】スノコ構造を底部とするペット小屋の斜視図である。
【図２】屋根部を取り付ける前のペット小屋の背面斜視図である。
【図３】屋根部を取り付ける様子を示すペット小屋の斜視図である。
【図４】連通状態のスノコ構造を示す平面図である。
【図５】図４に示すスノコ構造のＡ−Ａ断面図である。
【図６】閉鎖状態のスノコ構造を示す平面図である。
【図７】図６に示すスノコ構造のＢ−Ｂ断面図である。
【図８】図２に示すスノコ構造のＣ−Ｃ断面図である。
【図９】本実施形態の変形例に係るスノコ構造の平面図である。
【図１０】本実施形態の変形例に係るスノコ構造の平面図である。
【符号の説明】
１    ペット小屋
３    前面パネル
５    出入口
７    側面パネル
９    支持レール
１１    背面パネル
１３    屋根部
２１    スノコ部（スノコ構造）
２３    環状隙間
３１    第１板部
３３    起立部
３４    起立部上面
３５    指入凹部
３７    収納凹部
３９    底板部
４１    第１貫通孔
４３    排水孔
４５    突起部
４７    台座部
４９    肩部
５１    嵌合部
５３    嵌合部上面
６１    第２板部
６２    板部上面
６３    周縁部
６４    周縁部上面
６５    指掛片
６７    第２貫通孔
６９    環状リブ
８１    スノコ部
８３    第１板部
８５    起立部
８６    収納凹部
８７    幅狭隙間
８８    幅広隙間
８９    位置決め凹部
９０    位置決め凹部
９１    第２板部
９３    位置決め凸部
【図１】
2004329128.tif 000003
【図２】
2004329128.tif 000004
【図３】
2004329128.tif 000005
【図４】
2004329128.tif 000006
【図５】
2004329128.tif 000007
【図６】
2004329128.tif 000008
【図７】
2004329128.tif 000009
【図８】
2004329128.tif 000010
【図９】
2004329128.tif 000011
【図１０】
2004329128.tif 000012